(57)【要約】【課題】携帯端末機などの通話装置において、受話口における受話機能を十分に発揮することが可能であり、かつコンパクトにかつデザイン的にも旨く纏めること。【解決手段】通話装置のフロント側の筐体を構成するフロントケース５１に設けられたパッド用凹部５１ｂと、パッド用凹部における両端部の近辺に設けられたネジ埋め込み用穴部５１０と、パッド用凹部の中央付近に設けられ筐体内に設けられる受話用スピーカの発する音を導く音響用窓５１３と、パッド用凹部の音響用窓と一方のネジ埋め込み用穴部との間に設けられ外光を筐体内に設けられる光センサに導く導光孔５１７と、パッド用凹部に嵌め込まれ、ネジ埋め込み用穴部、音響用窓、および導光孔を覆う受話口パッド６３とを有し、受話口パッドには、音響用窓に対応する位置に音孔６３１ａ，６３１ｂが設けられ、導光孔に対応する位置に透明または半透明の導光窓６３３が設けられる。【選択図】  図５
2010187312.tif 000002
【特許請求の範囲】
【請求項１】
通話装置における受話口の構造において、
前記通話装置のフロント側の筐体を構成するフロントケースに設けられたパッド用凹部と、
前記パッド用凹部における両端部の近辺に設けられたネジ埋め込み用穴部と、
前記パッド用凹部の中央付近に設けられ前記筐体内に設けられる受話用スピーカの発する音を導く音響用窓と、
前記パッド用凹部の前記音響用窓と一方の前記ネジ埋め込み用穴部との間に設けられ外光を前記筐体内に設けられる光センサに導く導光孔と、
前記パッド用凹部に嵌め込まれ、前記ネジ埋め込み用穴部、前記音響用窓、および前記導光孔を覆う受話口パッドと、
を有し、
前記受話口パッドには、前記音響用窓に対応する位置に音孔が設けられ、前記導光孔に対応する位置に透明または半透明の導光窓が設けられている、
通話装置における受話口の構造。
【請求項２】
前記受話口パッドの表面には、前記導光窓を囲う位置に円環状に隆起したガイド部が設けられている、
請求項１記載の通話装置における受話口の構造。
【請求項３】
前記受話口パッドの外周縁部に、前記受話口パッドの表面から前記ガイド部と同じ方向に隆起して前記ガイド部と一部が重なる周壁部が設けられている、
請求項２記載の通話装置における受話口の構造。
【請求項４】
前記音響用窓は、前記受話用スピーカの位置に対応して設けられた円形状のスピーカ孔、および前記スピーカ孔に連続して延びる長方形状の導音孔を有し、
前記導音孔に対応する位置に前記音孔が設けられている、
請求項１ないし３のいずれかに記載の通話装置における受話口の構造。
【請求項５】
前記フロントケースの内側面に、前記導音孔に被さる受話用シートが設けられ、
前記受話用スピーカの発する音が前記受話用シートと前記受話口パッドとの間を通って前記音孔から外部に出力される、
請求項４記載の通話装置における受話口の構造。
【請求項６】
フロントケースおよびリヤケ−スによって筐体が形成される携帯電話機において、
前記フロントケースの外側の表面にパッド用凹部が設けられ、
前記パッド用凹部には、
その両端部の近辺においてネジ埋め込み用穴部が、
その中央付近において前記筐体内に設けられた受話用スピーカの発する音を導く音響用窓が、
前記音響用窓と一方の前記ネジ埋め込み用穴部との間において外光を前記筐体内に設けられた光センサに導く導光孔が、それぞれ設けられ、
前記パッド用凹部には、前記音響用窓に対応する位置に音孔が設けられかつ前記導光孔に対応する位置に透明または半透明の導光窓が設けられた受話口パッドが嵌め込まれ、これによって、前記ネジ埋め込み用穴部、前記音響用窓、および前記導光孔が覆われてなる、携帯電話機。
【請求項７】
携帯電話機のフロントケースに設けられたパッド用凹部に嵌め込まれるシート状の受話口パッドにおいて、
その中央付近に複数の音孔が、前記音孔と一方の端部との間に透明または半透明の導光窓が、前記導光窓を囲う位置に円環状に隆起したガイド部が、それぞれ設けられ、
前記パッド用凹部に嵌め込まれたときに、前記パッド用凹部に設けられたネジ埋め込み用穴部、音響用窓、および導光孔を覆う、携帯電話機用の受話口パッド。
【発明の詳細な説明】
【技術分野】
【０００１】
本発明は、通話装置における受話口の構造、携帯電話機、および携帯電話機用の受話口パッドに関する。
【背景技術】
【０００２】
従来より、携帯電話機などの電子機器において、フロント側のケ−スとリア側のケ−スとをネジで結合することにより筐体を構成することがしばしば行われる。その場合に、ネジの頭部が外部に露出したままの状態では見栄えがよくなく、またユーザがネジを外してしまう可能性があるので、ネジの頭部の上から遮蔽部材を埋め込んで隠すことが行われている（特許文献１）。
【０００３】
また、携帯電話機における電磁波の遮蔽のために、導電膜を枠体に固着したものを送話口または受話口に貼り付けたものがある（特許文献２）。
【０００４】
さて、一般に、携帯端末機の受話口には、筐体の内部に設けられた受話用スピーカの発する音を外部に出力するための孔が設けられる。また、受話口の下方にはカラーＬＣＤなどからなる表示装置が設けられるが、その輝度調整のために、表示装置の周辺部に外光を受光する光センサがしばしば設けられる。
【先行技術文献】
【特許文献】
【０００５】
【特許文献１】特開２００１−２９２２０９
【特許文献２】実用新案登録第３０９２０２１
【発明の概要】
【発明が解決しようとする課題】
【０００６】
上に述べたように、携帯端末機の受話口の近辺には、受話用スピーカや光センサなどが配置され、また音を外部に出力するためのが設けられ、さらには筐体の固定用のネジなども配されることがある。また、受話用スピーカから出力用の孔までの音響通路を旨く設計して配置する必要もある。
【０００７】
このように、益々小型化が進展する携帯端末機において、受話口の近辺におけるそれらの機能が十分に発揮されかつユーザにとって使い勝手が良くなるような構造とする必要がある。さらにデザイン的な観点からも旨く纏める必要がある。
【０００８】
本発明は、このような観点からなされたものであり、携帯端末機などの通話装置において、受話口における受話機能を十分に発揮することが可能であり、かつコンパクトにかつデザイン的にも旨く纏めることの可能な受話口の構造を提供することを目的とする。
【課題を解決するための手段】
【０００９】
本実施形態に係る受話口の構造は、通話装置のフロント側の筐体を構成するフロントケースに設けられたパッド用凹部と、前記パッド用凹部における両端部の近辺に設けられたネジ埋め込み用穴部と、前記パッド用凹部の中央付近に設けられ前記筐体内に設けられる受話用スピーカの発する音を導く音響用窓と、前記パッド用凹部の前記音響用窓と一方の前記ネジ埋め込み用穴部との間に設けられ外光を前記筐体内に設けられる光センサに導く導光孔と、前記パッド用凹部に嵌め込まれ、前記ネジ埋め込み用穴部、前記音響用窓、および前記導光孔を覆う受話口パッドと、を有し、前記受話口パッドには、前記音響用窓に対応する位置に音孔が設けられ、前記導光孔に対応する位置に透明または半透明の導光窓が設けられる。
【００１０】
好ましくは、前記受話口パッドの表面には、前記導光窓を囲う位置に円環状に隆起したガイド部が設けられる。
【００１１】
また、好ましくは、前記受話口パッドの外周縁部に、前記受話口パッドの表面から前記ガイド部と同じ方向に隆起して前記ガイド部と一部が重なる周壁部が設けられる。
【発明の効果】
【００１２】
本発明によると、携帯端末機などの通話装置において、受話口における受話機能を十分に発揮することが可能であり、かつコンパクトにかつデザイン的にも旨く纏めることが可能な受話口の構造を提供することをができる。
【図面の簡単な説明】
【００１３】
【図１】本発明の一実施形態に係る携帯電話機の外観を示す正面図である。
【図２】携帯電話機の受話器側のフロントケース側から見た分解斜視図である。
【図３】携帯電話機の送話器側のフロントケース側から見た分解斜視図である。
【図４】受話口の構造を示す分解斜視図である。
【図５】図４の一部を拡大して示す図である。
【図６】受話口パッドの部分を拡大して示す正面図である。
【図７】図６のＢ−Ｂ線断面矢視図である。
【図８】図７の一部を拡大して示す正面図である。
【図９】受話口パッドの正面図および断面底面図である。
【図１０】受話口パッドの断面側面図である。
【図１１】受話口パッドの背面図である。
【図１２】受話用シートの正面図である。
【発明を実施するための形態】
【００１４】
図１ないし図３において、本実施形態の携帯電話機１は、送話器側（固定側）ＳＧと受話器側（可動側）ＪＧとがヒンジＨＪによって回動可能に連結された折り畳み式のものである。送話器側ＳＧの筐体ＫＴＳは、表面に操作部ＳＢが設けられたフロントケース１１、および、フロントケース１１の裏面側に接して配置されたリアケ−ス１２からなる。フロントケース１１およびリアケ−ス１２は、それぞれポリカーボネートまたはＡＢＳ樹脂などの合成樹脂の成形（モールディング）によって製作される。なお、受話器側ＪＧのフロントケース５１およびリアケ−ス５２も同様に樹脂成形によって製作される。
【００１５】
操作部ＳＢには、電話番号やその他の情報を入力するための種々の操作ボタン２０が、フロントケース１１に設けられた穴から表面（前面）に突出する状態で配列されており、操作ボタンを押すことによって後述するプリント基板３１に設けられた接点やセンサなどがそれを検知するように構成されている。
【００１６】
また、リアケ−ス１２の内部には電池収納部ＲＤが設けられ、その表面は着脱が可能な電池蓋２４となっている。フロントケース１１とリアケ−ス１２とは、リアケ−ス１２の側から挿入されてネジ込まれた４つのネジ４１，４１…によって一体化されている。ネジ４１，４１…を締めつけた後には、ネジ隠し部材４２，４２、４３，４３が挿入され、表面が滑らかに仕上がっている。
【００１７】
図３に示されるように、送話器側ＳＧの筐体ＫＴＳの内部には、テンキーパッドＢＳ１、ドームシートＢＳ２、プリント基板３１、フレキシブルケーブルＢＳ３、ヒンジフレキＢＳ４、固定フレームＢＳ５、ＳＩＭトレイＢＳ６、サブ基板ＢＳ７、導音部材３４および粘着テープ３５ａなどの部品ＢＳ８、および部品ＢＳ９などが組み込まれている。
【００１８】
図１に戻って、受話器側ＪＧの筐体ＫＴＪは、フロントケース５１、およびフロントケース５１の裏面側に接して配置されたリアケ−ス５２（図２参照）からなる。フロントケース５１の表面には、カラーＬＣＤからなるメインディスプレイ６１が設けられ、その上方に内部の受話用スピーカ６６の発する音声を外部に伝えるための受話口ＪＵが設けられている。受話口ＪＵには、受話口パッド６３が設けられている。
【００１９】
図２に示されるように、受話器側ＪＧの筐体ＫＴＪの内部には、受話用シート６５、ワンタッチキ−ＢＪ３、ワンタッチフレキモジュールＢＪ４、ワンタッチテ−プＢＪ５、ＬＣＤ保護パネルＢＪ６、ＬＣＤ用パッキンＢＪ７、受話用スピ−カ６６、カメラ６７、ホルダ６８、メインディスプレイ６１、サブディスプレイＢＳ９、プリント基板６２（ＢＪ１０）、フレームＢＪ１１、サブＬＣＤ用パッキンＢＪ１２、サブＬＣＤ保護パネルＢＪ１３、およびリアパネルテープＢＪ１４などが組み込まれている。
【００２０】
フロントケース５１とリアケ−ス５２とは、フロントケース５１の側から挿入されてネジ込まれた４つのネジ７１，７１…によって一体化されている。
【００２１】
送話器側ＳＧのプリント基板３１と受話器側ＪＧのプリント基板６２などとの間において、フレキシブルケーブルＢＳ４により種々の信号の送受信が行われる。フレキシブルケーブルＢＳ４は、ヒンジＨＪの内部空間を通って撓んだ状態で配設されており、ヒンジＨＪにおける屈曲に耐えるような屈曲耐性を有している。
【００２２】
次に、携帯電話機１の受話口の構造について説明する。
【００２３】
図４ないし図８において、受話器側ＪＧのフロントケース５１には、中央部にメインディスプレイ６１を取り付けるための矩形の窓５１ａが設けられ、その上側に、受話口パッド６３を嵌め込むためのパッド用凹部５１ｂが設けられている。
【００２４】
パッド用凹部５１ｂにおいて、その両端部の近辺に、ネジ埋め込み用穴部５１０，５１０が設けられる。これらネジ埋め込み用穴部５１０は、ネジ７１を挿通するためのネジ用孔５１１と、ネジ７１の頭部が嵌まり込むざぐり穴５１２とからなる。
【００２５】
パッド用凹部５１ｂの中央付近には、音響用窓５１３が設けられる。音響用窓５１３は、筐体ＫＴＪ内に設けられる受話用スピ−カ６６の発する音を後述する音孔６３１ａ，６３１ｂに導くものである。音響用窓５１３は、受話用スピ−カ６６の位置に対応して設けられた円形状のスピーカ孔５１４、およびスピーカ孔５１４に連続して延びる長方形状の導音孔５１５を有する。スピーカ孔５１４の部分には、その周辺部からスピーカ孔５１４に突出する半円形状の突出部５１６が設けられている。
【００２６】
また、パッド用凹部５１ｂにおいて、音響用窓５１３と一方のネジ埋め込み用穴部５１０との間に、筐体ＫＴＪ内に設けられた光センサ６９に外光を導くための導光孔５１７が設けられる。
【００２７】
受話口パッド６３は、パッド用凹部５１ｂに嵌め込まれたときに、２つのネジ埋め込み用穴部５１０、音響用窓５１３、および導光孔５１７を覆うものである。
【００２８】
すなわち、受話口パッド６３は、透明のウレタン系樹脂その他の合成樹脂または合成ゴムなどによって全体としてシート状に形成されている。その外形は、図５および図６などによく表れているように、全体として帯状であり、その１つの長辺は円弧状で他の長辺は直線状であり、端部は滑らかな円弧状となっている。
【００２９】
図９ないし図１２をも参照して、受話口パッド６３には、音響用窓５１３の内の導音孔５１５に対応する位置に、２つの円形の音孔６３１ａ，６３１ｂが設けられている。音孔６３１ｂの横の端部に近い側に円形の擬似音孔６３２が設けられている。これら音孔６３１ａ，６３１ｂおよび擬似音孔６３２は、ユーザからは３つの孔が横一列に並んで見える。擬似音孔６３２は、突出部５１６によって塞がれ、したがって擬似音孔６３２からは音が出ない。
【００３０】
また、受話口パッド６３には、導光孔５１７に対応する位置に、透明または半透明の円形の導光窓６３３が設けられている。導光窓６３３は、メジウム印刷によって乳白色とされ、この部分の光透過率が高くなっている。つまり、受話口パッド６３は、図１１（Ｂ）に示すように、その裏面のほぼ全体に印刷が施され、これにより着色がなされて不透明となっている。しかし、導光窓６３３の部分には着色のための印刷ではなく、上に述べたメジウム印刷が施されており、これにより透光性が確保されるとともに、外からは内部が見えないようになっている。したがって、光センサ６９には、導光窓６３３の周辺からは余計な外光が入射することなく、導光窓６３３のみから光センサ６９による検出に必要な外光が入射することとなる。
【００３１】
なお、光センサ６９により検出した外光の強さに応じて、メインディスプレイ６１の輝度調整が行われる。つまり、例えば、外光が強い場合つまり明るい場合には、メインディスプレイ６１の輝度を高くして見易くし、外光が弱い場合つまり暗い場合には、メインディスプレイ６１の輝度を低くして省電力化を図る。また、光センサ６９による検出信号に基づいて、操作ボタン２０を発光させる制御も行われる。つまり、携帯電話機１が暗い場所で使用される場合に、それを光センサ６９が検出して操作ボタン２０を発光させ、ユーザによる操作を容易にする。
【００３２】
このような輝度調整および発光制御は、プリント基板３１、６２に実装された制御回路によって行われる。つまり、プリント基板３１、６２には、携帯電話機１の機能に必要な回路素子、演算素子、メモリ素子、その他のＬＳＩ、コネクタ、その他の電子部品が、表面実装技術などを用いて実装されている。これらによる制御回路が、光センサ６９の検出信号などを入力し、メインディスプレイ６１の輝度制御および操作ボタン２０に設けられた発光ダイオードの発光制御などを行う。
【００３３】
受話口パッド６３の表面には、導光窓６３３を囲う位置に、円環状に隆起したガイド部６３４が設けられている。ガイド部６３４は、ユーザが指などで導光窓６３３を直接に触ることがないようにし、これによって導光窓６３３が汚れるのを防ぐ機能を有する。また、ユーザが受話口パッド６３を耳に当てたときに、耳が導光窓６３３に直接に触れることがないようにする。
【００３４】
また、ガイド部６３４は、その寸法が極端に小さくなく、適当な大きさを有するので、ガイド部６３４にゴミが溜まり難く、またゴミが溜まった場合でも清掃が容易である。したがって、携帯電話機１の使用に際して、受話口パッド６３が肌と擦れた場合でも、ゴミによって受話口パッド６３が傷つけられたりすることがない。受話口パッド６３を清掃する際にも、清掃が容易であるから、受話口パッド６３を傷つけることは生じ難い。
【００３５】
受話口パッド６３には、その外周縁部に、その表面からガイド部６３４と同じ方向に隆起してガイド部６３４と一部が重なる周壁部６３５が設けられている。ガイド部６３４と周壁部６３５とが重なることによって、受話口パッド６３の表面に連続した隆起部が形成され、これがリブのように作用して受話口パッド６３を補強する。なお、周壁部６３５は、受話口パッド６３の周囲に土手のように形成されているので、「ドテリブ」ということがある。
【００３６】
図１１（Ａ）に示されるように、受話口パッド６３の裏面には粘着テープ６４１が貼り付けられており、受話口パッド６３は、粘着テープ６４１によりパッド用凹部５１ｂに貼り付けられて固定される。なお、粘着テープ６４１は、導光窓６３３に対応する部分６３３Ａ、受話用メッシュ６４が貼り付けられる部分６４Ａ、および音響用窓５１３に対応する部分５１３Ａが、それぞれ切り欠かれて削除されている。
【００３７】
受話口パッド６３の寸法の具体例を上げると、長さが３０〜５０ｍｍ程度、例えば４０ｍｍ程度、幅が７〜１５ｍｍ程度、例えば１０ｍｍ程度、周壁部６３５も入れた厚さが１〜２ｍｍ程度、例えば１．５ｍｍ程度である。ガイド部６３４および周壁部６３５は、幅が十分の数ｍｍ〜１．５ｍｍ程度、例えば１．２ｍｍ程度、高さが十分の数ｍｍ〜１ｍｍ程度、例えば０．６ｍｍ程度である。ガイド部６３４の円の内側の直径は例えば６．５ｍｍ程度、外側の直径は例えば８．９ｍｍ程度である。また、音孔６３１ａ，６３１ｂおよび擬似音孔６３２の直径は、１〜１．５ｍｍ程度、例えば１．２ｍｍ程度である。
【００３８】
受話用メッシュ６４は、合成樹脂からなるフィルム状の長円形状の枠部材６４ａ、および枠部材６４ａに取り付けられたメッシュ６４ｂからなる。受話用メッシュ６４は、その両面に粘着テープが貼り付けられ、その粘着テープが受話口パッド６３の裏面に貼り付けられた状態で、パッド用凹部５１ｂに貼り付けられる。
【００３９】
受話用メッシュ６４は、受話口パッド６３とパッド用凹部５１ｂとの間に設けられることにより、メッシュ６４ｂが導音孔５１５を覆い、受話口パッド６３を補強することとなる。
【００４０】
フロントケース５１におけるパッド用凹部５１ｂとは逆の面、つまりフロントケース５１の内側面には、音響用窓５１３に対応する部分に、受話用シート６５が貼り付けられている。受話用シート６５は、図１２に示すように、合成樹脂からなるフィルム状のものであり、円形部６５ａと矩形部６５ｂとを有している。円形部６５ａには、スピーカ孔５１４に対応する位置に、スピーカ孔５１４よりも直径の小さい円形の穴６５ｃが設けられている。受話用シート６５には、斜線で示した部分６５ｄに粘着テープが貼り付けられ、この粘着テープによってフロントケース５１の裏面に貼り付けられる。
【００４１】
図８に示されるように、フロントケース５１の裏面に受話用シート６５が貼り付けられることによって、音響用窓５１３の部分が受話用シート６５と受話口パッド６３とで挟まれ、そこに導音用の空間が形成される。つまり、音響用窓５１３が形成されたフロントケース５１の厚さは十分の数ｍｍ〜１ｍｍ程度であるが、この厚さに相当する狭い空間が、導音用の空間となる。
【００４２】
受話用スピ−カ６６は、受話用シート６５の円形部６５ａの穴６５ｃからフロント側を覗くように配置される。これによって、受話用スピ−カ６６の発する音声は、受話用シート６５と受話口パッド６３との間の導音用の空間を通り、２つの音孔６３１ａ，６３１ｂから外部に出力されることとなる。
【００４３】
なお、受話用スピ−カ６６と受話用シート６５の円形部６５ａとの間には、柔らかいウレタンフォームなどからなるパッド６６ａが設けられる。
【００４４】
上に述べた説明で分かるように、フロントケース５１のパッド用凹部５１ｂに設けられた２つのネジ埋め込み用穴部５１０、音響用窓５１３、および導光孔５１７は、受話口パッド６３によって隠されることとなる。すなわち、受話口パッド６３という１つの部品を貼り付けることにより、ネジ埋め込み用穴部５１０、音響用窓５１３、および導光孔５１７の全部を覆うことができる。したがって、受話口ＪＵの構造がコンパクトであり、かつデザイン的にもスタイリッシュに旨く纏めることが可能である。しかも、受話用スピ−カ６６からの音を出力する機能と光センサ６９に必要な外光を取り込む機能、つまり携帯電話機１の受話口における受話機能を十分に発揮することができる。また、部品点数が少ないので、部品の管理が容易であるとともに、組み立て工数を低減してコスト低減を図ることが可能である。
【００４５】
また、受話口パッド６３には、そのほぼ中央部に２つの音孔６３１ａ，６３１ｂが設けられており、これらの音孔６３１ａ，６３１ｂからはほぼ同じ大きさの音声が出力されるので、ユーザが受話口ＪＵを耳に当てたときに音声が聞こえ易い。また、端部の擬似音孔６３２からは音が出ないので、右効きまたは左効きのいずれのユーザに対しても使い勝手が良好である。しかし、ユーザからは、受話口パッド６３に３つの音孔が配置されているように見え、デザイン的にバランスのよい配置となっている。
【００４６】
上に述べた実施形態において、２つの音孔６３１ａ，６３１ｂを設けたが、１つまたは３つ以上であってもよい。擬似音孔６３２を省略することも可能である。導光窓６３３に透光性を持たせるためにメジウム印刷を行ったが、これ以外の印刷を行ったり、また印刷を行うことなく透明とすることも可能である。ガイド部６３４の形状を、楕円形状、多角形状、または直線状などとすることも可能である。
【００４７】
上に述べた実施形態において、フロントケース５１およびリアケ−ス５２の形状は、上に述べた以外の種々の形状であってもよい。例えば、フロントケース５１およびリアケ−ス５２が平板状または箱状のものであってもよい。これらの正面視の形状は、矩形状、卵形状、楕円形状、長円形状、多角形状、その他の種々の形状であってもよい。フロントケース５１とリアケ−ス５２との間に他の部材が介在する構造であってもよい。
【００４８】
上に述べた実施形態において、フロントケース５１、リアケ−ス５２、プリント基板６２、受話口パッド６３、受話用メッシュ６４、受話用シート６５、受話用スピ−カ６６、音響用窓５１３、受話口ＪＵ、携帯電話機１の全体または各部の構成、構造、形状、寸法、成形方法、製作方法、配置、個数、材質、位置などは、上に述べた以外に種々変更することができる。
【００４９】
上に述べた例では折り畳み式の携帯電話機１について説明したが、折り畳み式でない携帯電話機、携帯電話機以外の種々の携帯端末機、固定の電話機、その他の通話装置などにも、本発明を適用することができる。
【００５０】
本実施形態には次に記載する形態も含まれる。
（付記１）
通話装置における受話口の構造において、
前記通話装置のフロント側の筐体を構成するフロントケースに設けられたパッド用凹部と、
前記パッド用凹部における両端部の近辺に設けられたネジ埋め込み用穴部と、
前記パッド用凹部の中央付近に設けられ前記筐体内に設けられる受話用スピーカの発する音を導く音響用窓と、
前記パッド用凹部の前記音響用窓と一方の前記ネジ埋め込み用穴部との間に設けられ外光を前記筐体内に設けられる光センサに導く導光孔と、
前記パッド用凹部に嵌め込まれ、前記ネジ埋め込み用穴部、前記音響用窓、および前記導光孔を覆う受話口パッドと、
を有し、
前記受話口パッドには、前記音響用窓に対応する位置に音孔が設けられ、前記導光孔に対応する位置に透明または半透明の導光窓が設けられている、
通話装置における受話口の構造。
（付記２）
前記受話口パッドの表面には、前記導光窓を囲う位置に円環状に隆起したガイド部が設けられている、
付記１記載の通話装置における受話口の構造。
（付記３）
前記受話口パッドの外周縁部に、前記受話口パッドの表面から前記ガイド部と同じ方向に隆起して前記ガイド部と一部が重なる周壁部が設けられている、
付記２記載の通話装置における受話口の構造。
（付記４）
前記音響用窓は、前記受話用スピーカの位置に対応して設けられた円形状のスピーカ孔、および前記スピーカ孔に連続して延びる長方形状の導音孔を有し、
前記導音孔に対応する位置に前記音孔が設けられている、
付記１ないし３のいずれかに記載の通話装置における受話口の構造。
（付記５）
前記フロントケースの内側面に、前記導音孔に被さる受話用シートが設けられ、
前記受話用スピーカの発する音が前記受話用シートと前記受話口パッドとの間を通って前記音孔から外部に出力される、
付記４記載の通話装置における受話口の構造。
（付記６）
前記音孔は、少なくとも２つ設けられており、
前記受話口パッドにおいて前記音孔よりも端部に近い側に擬似音孔が設けられている、
付記５記載の通話装置における受話口の構造。
（付記７）
フロントケースおよびリヤケ−スによって筐体が形成される携帯電話機において、
前記フロントケースの外側の表面にパッド用凹部が設けられ、
前記パッド用凹部には、
その両端部の近辺においてネジ埋め込み用穴部が、
その中央付近において前記筐体内に設けられた受話用スピーカの発する音を導く音響用窓が、
前記音響用窓と一方の前記ネジ埋め込み用穴部との間において外光を前記筐体内に設けられた光センサに導く導光孔が、それぞれ設けられ、
前記パッド用凹部には、前記音響用窓に対応する位置に音孔が設けられかつ前記導光孔に対応する位置に透明または半透明の導光窓が設けられた受話口パッドが嵌め込まれ、これによって、前記ネジ埋め込み用穴部、前記音響用窓、および前記導光孔が覆われてなる、携帯電話機。
（付記８）
前記受話口パッドの表面には、前記導光窓を囲う位置に円環状に隆起したガイド部が設けられている、
付記７記載の携帯電話機。
（付記９）
前記音孔は複数設けられ、前記受話用スピーカの発する音がそれら複数の音孔から外部に出力され、
前記導光窓からの外光を受光した前記光センサの検出信号によって、前記フロントケースに設けられた表示装置の輝度調整が行われる、
付記８記載の携帯電話機。
（付記１０）
携帯電話機のフロントケースに設けられたパッド用凹部に嵌め込まれるシート状の受話口パッドにおいて、
その中央付近に複数の音孔が、前記音孔と一方の端部との間に透明または半透明の導光窓が、前記導光窓を囲う位置に円環状に隆起したガイド部が、それぞれ設けられ、
前記パッド用凹部に嵌め込まれたときに、前記パッド用凹部に設けられたネジ埋め込み用穴部、音響用窓、および導光孔を覆う、携帯電話機用の受話口パッド。
（付記１１）
前記受話口パッドの外周縁部に、前記受話口パッドの表面から前記ガイド部と同じ方向に隆起して前記ガイド部と一部が重なる周壁部が設けられている、
付記１０記載の携帯電話機用の受話口パッド。
【符号の説明】
【００５１】
１  携帯電話機（通話装置）
５１  フロントケース
５１ｂ  パッド用凹部
５２  リヤケ−ス
６１  メインディスプレイ（表示装置）
６２  プリント基板
６３  受話口パッド
６４  受話用メッシュ
６５  受話用シート
６６  受話用スピ−カ
６９  光センサ
５１０  ネジ埋め込み用穴部
５１３  音響用窓
５１４  スピーカ孔
５１５  導音孔
５１７  導光孔
６３１ａ，６３１ｂ  音孔
６３２  擬似音孔
６３３  導光窓
６３４  ガイド部
６３５  周壁部
ＫＴＪ  筐体
ＪＵ  受話口
【図１】
2010187312.tif 000003
【図２】
2010187312.tif 000004
【図３】
2010187312.tif 000005
【図４】
2010187312.tif 000006
【図５】
2010187312.tif 000007
【図６】
2010187312.tif 000008
【図７】
2010187312.tif 000009
【図８】
2010187312.tif 000010
【図９】
2010187312.tif 000011
【図１０】
2010187312.tif 000012
【図１１】
2010187312.tif 000013
【図１２】
2010187312.tif 000014